(57)【要約】【課題】電子看板装置周辺のその時々の人々の好みに合うコンテンツを優先的に表示することが可能な電子看板表示システムを提供する。【解決手段】携帯端末装置１別に、利用者の好みに合うコンテンツに対応するキーワードを設定しておき、携帯端末装置１が通信エリアＥに入ったときに、携帯端末装置１から電子看板装置３へとキーワードを近距離無線通信で送受する。そして、電子看板装置３は、表示部３５の画面に切替え表示される各コンテンツ別に、コンテンツに対応するキーワードの受信件数を計数して求め、キーワードの受信件数が多くなるほど該キーワードに対応付けられたコンテンツを優先的に表示する。【選択図】図１
2012173719.tif 000002
【特許請求の範囲】
【請求項１】
携帯端末装置と、複数のコンテンツを表示画面に切替え表示する電子看板装置とを備え、
前記携帯端末装置は、
前記携帯端末装置周辺にキーワードを送信する携帯側近距離通信部を有し、
前記電子看板装置は、
前記各コンテンツとそれぞれのキーワードとの対応付けを記憶したキーワード記憶部と、
前記電子看板装置周辺で前記携帯端末装置から送信されて来たキーワードを受信する電子看板側近距離通信部と、
前記キーワード記憶部で前記各コンテンツに対応付けられたそれぞれのキーワードについて、前記電子看板側近距離通信部により受信されたキーワードの受信件数を計数する受信件数計数部と、
前記受信件数計数部で計数された各キーワードの受信件数に基づき、キーワードの受信件数が多くなるほど該キーワードに対応付けられたコンテンツを前記表示画面に優先的に表示する制御部とを有し、
前記受信件数計数部により計数されるキーワードの受信件数は、前記電子看板装置周辺に存在中の前記携帯端末装置から受信したキーワードの受信件数であることを特徴とする電子看板表示システム。
【請求項２】
請求項１に記載の電子看板表示システムであって、
前記制御部による優先的な表示とは、前記コンテンツの表示時間の延長であることを特徴とする電子看板表示システム。
【請求項３】
請求項１又は２に記載の電子看板表示システムであって、
前記制御部による優先的な表示とは、前記コンテンツの表示回数の増大であることを特徴とする電子看板表示システム。
【請求項４】
請求項１〜３のいずれか１つに記載の電子看板表示システムであって、
前記携帯側近距離通信部は、キーワード及び該キーワードの重み付け係数を送信し、
前記電子看板側近距離通信部は、前記キーワード及び該キーワードの重み付け係数を受信し、
前記受信件数計数部は、前記重み付け係数に応じて前記キーワードの受信件数を計数することを特徴とする電子看板表示システム。
【請求項５】
請求項１〜４のいずれか１つに記載の電子看板表示システムであって、
前記制御部は、前記電子看板側近距離通信部により前記携帯端末装置から送信されて来たキーワードが受信されると、前記受信されたキーワードに対応付けられたコンテンツもしくは前記コンテンツに関する情報を前記電子看板側近距離通信部から前記携帯端末装置に送信することを特徴とする電子看板表示システム。
【請求項６】
請求項５に記載の電子看板表示システムであって、
前記制御部は、複数のコンテンツ別に、前記コンテンツもしくは前記コンテンツに関する情報を前記電子看板側近距離通信部から前記携帯端末装置に送信した累積回数を求めることを特徴とする電子看板表示システム。
【請求項７】
請求項１〜４のいずれか１つに記載の電子看板表示システムであって、
前記携帯端末装置は、コンテンツもしくはコンテンツに関する情報の要求を指示するために操作される操作部を有し、前記操作部の操作に応答して前記コンテンツもしくはコンテンツに関する情報の要求を前記携帯側近距離通信部から送信し、
前記制御部は、前記電子看板側近距離通信部により前記携帯端末装置から送信されて来た前記コンテンツもしくはコンテンツに関する情報の要求が受信されると、前記コンテンツもしくはコンテンツに関する情報を前記電子看板側近距離通信部から前記携帯端末装置に送信することを特徴とする電子看板表示システム。
【請求項８】
請求項７に記載の電子看板表示システムであって、
前記制御部は、複数のコンテンツ別に、前記コンテンツもしくは前記コンテンツに関する情報を前記電子看板側近距離通信部から前記携帯端末装置に送信した累積回数を求めることを特徴とする電子看板表示システム。
【請求項９】
複数のコンテンツを表示画面に切替え表示する電子看板装置であって、
前記各コンテンツとそれぞれのキーワードとの対応付けを記憶したキーワード記憶部と、
前記電子看板装置周辺で携帯端末装置から送信されて来たキーワードを受信する近距離通信部と、
前記キーワード記憶部で前記各コンテンツに対応付けられたそれぞれのキーワードについて、前記近距離通信部により受信されたキーワードの受信件数を計数する受信件数計数部と、
前記受信件数計数部で計数された各キーワードの受信件数に基づき、キーワードの受信件数が多くなるほど該キーワードに対応付けられたコンテンツを前記表示画面に優先的に表示する制御部とを有し、
前記受信件数計数部により計数されるキーワードの受信件数は、前記電子看板装置周辺に存在中の前記携帯端末装置から受信したキーワードの受信件数であることを特徴とする電子看板装置。
【請求項１０】
電子看板装置の表示画面に表示されるコンテンツに対応するキーワードを設定するキーワード設定部と、
当該携帯端末装置周辺に前記設定されたキーワードを送信する携帯側近距離通信部とを備えたことを特徴とする携帯端末装置。
【請求項１１】
携帯端末装置と、複数のコンテンツを表示画面に切替え表示する電子看板装置とを用いた電子看板表示方法であって、
前記携帯端末装置は、
前記携帯端末装置周辺にキーワードを送信し、
前記電子看板装置は、
前記電子看板装置周辺で前記携帯端末装置から送信されたキーワードを受信して、前記各コンテンツに予め対応付けられた前記各キーワード別に、受信されているキーワードの受信件数を計数し、
前記各キーワードの受信件数に基づき、キーワードの受信件数が多くなるほど該キーワードに対応付けられたコンテンツを前記表示画面に優先的に表示し、
前記キーワードの受信件数は、前記電子看板装置周辺に存在中の前記携帯端末装置から受信したキーワードの受信件数であることを特徴とする電子看板表示方法。
【発明の詳細な説明】
【技術分野】
【０００１】
本発明は、複数のコンテンツを切替え表示するための電子看板表示システム、電子看板装置、携帯端末装置、及び電子看板表示方法に関する。
【背景技術】
【０００２】
電子看板装置（Information Display Panel（ＩＤＰ））は、ＬＥＤ表示装置や液晶表示装置等の画面に複数のコンテンツ（広告等）を切替え表示するものであって、街頭、地下街、店舗等に設置されて、多数の人々を対象とする宣伝や報知に用いられ、更なる機能を付加したものも提案されている。
【０００３】
例えば、特許文献１では、情報表示装置（ＩＤＰに相当する）及び携帯端末装置にそれぞれの近距離無線通信装置を設けておき、携帯端末装置が情報表示装置に接近したときに、情報表示装置と携帯端末装置の間で近距離無線通信を行って、携帯端末装置の利用者の個人情報や趣向情報を携帯端末装置から情報表示装置へと送受し、情報表示装置の表示画面に個人情報を表示したり趣向情報に該当する広告を表示している。
【０００４】
また、特許文献２では、サイネージ端末（ＩＤＰに相当する）によりＩＣカードの利用者識別ＩＤを読出して、利用者の利用履歴情報を作成し、この利用履歴情報が反映されたコンテンツをサイネージ端末の表示画面に表示している。
【先行技術文献】
【特許文献】
【０００５】
【特許文献１】特開２００８−１２２８０９号公報
【特許文献２】特開２０１０−７９７７０号公報
【発明の概要】
【発明が解決しようとする課題】
【０００６】
ところで、先に述べたように電子看板装置を多数の人々を対象とする宣伝や報知に用いることから、より多くの人々の好みに合うコンテンツを表示するのが望ましい。また、電子看板装置を街頭、地下街、店舗等に設置することから、電子看板装置周辺の人々が絶えず入れ替わっており、その時々の周辺の人々の好みに合うコンテンツを優先的に表示するのが望ましい。
【０００７】
しかしながら、特許文献１では、１個人の個人情報を表示したり１個人の趣向情報に該当する広告を表示することができても、複数の人々の好みに合う広告を表示することができなかった。また、特許文献２でも、１個人の利用履歴情報が反映されたコンテンツを表示することができても、複数の人々の好みに合うコンテンツを表示することができなかった。したがって、特許文献１、２では、電子看板装置周辺のその時々の人々の好みに合うコンテンツの優先的な表示を実現することはできなかった。このため、例えばコンテンツが広告である場合は、広告の訴求効果が良いとはいえなかった。
【０００８】
そこで、本発明は、上記従来の問題点に鑑みなされたものであり、電子看板装置周辺のその時々の人々の好みに合うコンテンツを優先的に表示することが可能な電子看板表示システム、電子看板装置、携帯端末装置、及び電子看板表示方法を提供することを目的とする。
【課題を解決するための手段】
【０００９】
上記課題を解決するために、本発明の電子看板表示システムは、携帯端末装置と、複数のコンテンツを表示画面に切替え表示する電子看板装置とを備え、前記携帯端末装置は、前記携帯端末装置周辺にキーワードを送信する携帯側近距離通信部を有し、前記電子看板装置は、前記各コンテンツとそれぞれのキーワードとの対応付けを記憶したキーワード記憶部と、前記電子看板装置周辺で前記携帯端末装置から送信されて来たキーワードを受信する電子看板側近距離通信部と、前記キーワード記憶部で前記各コンテンツに対応付けられたそれぞれのキーワードについて、前記電子看板側近距離通信部により受信されたキーワードの受信件数を計数する受信件数計数部と、前記受信件数計数部で計数された各キーワードの受信件数に基づき、キーワードの受信件数が多くなるほど該キーワードに対応付けられたコンテンツを前記表示画面に優先的に表示する制御部とを有し、前記受信件数計数部により計数されるキーワードの受信件数は、前記電子看板装置周辺に存在中の前記携帯端末装置から受信したキーワードの受信件数である。
【００１０】
このような本発明の電子看板表示システムによれば、電子看板装置は、電子看板装置周辺の携帯端末装置から受信したキーワードの受信件数を計数して求め、受信件数が多かったキーワードに対応するコンテンツを優先的に表示している。また、キーワードの受信件数は、電子看板装置周辺に存在中の携帯端末装置から受信したキーワードの受信件数である。このため、電子看板装置周辺の複数の携帯電話機の利用者が設定したキーワードに対応するコンテンツが優先的に表示され、電子看板装置周辺のその時々の人々が自分好みのコンテンツを見る機会が多くなる。
【００１１】
また、本発明の電子看板表示システムにおいては、前記制御部による優先的な表示とは、前記コンテンツの表示時間の延長である。
【００１２】
このようなコンテンツの表示時間の延長によりコンテンツを優先的に表示することができる。
【００１３】
更に、本発明の電子看板表示システムにおいては、前記制御部による優先的な表示とは、前記コンテンツの表示回数の増大である。
【００１４】
このようなコンテンツの表示回数の増大によりコンテンツを優先的に表示することができる。
【００１５】
また、本発明の電子看板表示システムにおいては、前記携帯側近距離通信部は、キーワード及び該キーワードの重み付け係数を送信し、前記電子看板側近距離通信部は、前記キーワード及び該キーワードの重み付け係数を受信し、前記受信件数計数部は、前記重み付け係数に応じて前記キーワードの受信件数を計数している。
【００１６】
これにより、特定のキーワードの受信件数の計数値を意図的に大きくして、このキーワードに対応するコンテンツの表示をより優先させることができる。
【００１７】
更に、本発明の電子看板表示システムにおいては、前記制御部は、前記電子看板側近距離通信部により前記携帯端末装置から送信されて来たキーワードが受信されると、前記受信されたキーワードに対応付けられたコンテンツもしくは前記コンテンツに関する情報を前記電子看板側近距離通信部から前記携帯端末装置に送信している。
【００１８】
このように携帯端末装置から電子看板装置へのキーワードの送受に応答して、キーワードに対応するコンテンツもしくはコンテンツに関する情報を電子看板装置から携帯端末装置へと送受すれば、携帯端末装置の利用者は、自分の好みに合うコンテンツを容易に取得することができる。
【００１９】
また、本発明の電子看板表示システムにおいては、前記制御部は、複数のコンテンツ別に、前記コンテンツもしくは前記コンテンツに関する情報を前記電子看板側近距離通信部から前記携帯端末装置に送信した累積回数を求めている。
【００２０】
このようなコンテンツもしくはコンテンツに関する情報を電子看板装置から携帯端末装置へと送受した累積回数は、コンテンツもしくはコンテンツに関する情報を取得した携帯電話機の利用者の人数に対応するので、コンテンツに対する多くの人々の趣向を知ることができる。
【００２１】
更に、本発明の電子看板表示システムにおいては、前記携帯端末装置は、コンテンツもしくはコンテンツに関する情報の要求を指示するために操作される操作部を有し、前記操作部の操作に応答して前記コンテンツもしくはコンテンツに関する情報の要求を前記携帯側近距離通信部から送信し、前記制御部は、前記電子看板側近距離通信部により前記携帯端末装置から送信されて来た前記コンテンツもしくはコンテンツに関する情報の要求が受信されると、前記コンテンツもしくはコンテンツに関する情報を前記電子看板側近距離通信部から前記携帯端末装置に送信している。
【００２２】
このように携帯端末装置から電子看板装置へのコンテンツもしくはコンテンツに関する情報の要求に応答して、コンテンツもしくはコンテンツに関する情報を電子看板装置から携帯端末装置へと送受すれば、携帯端末装置の利用者は、自分の好みに合うコンテンツを容易に取得することができる。
【００２３】
また、本発明の電子看板表示システムにおいては、前記制御部は、複数のコンテンツ別に、前記コンテンツもしくは前記コンテンツに関する情報を前記電子看板側近距離通信部から前記携帯端末装置に送信した累積回数を求めている。
【００２４】
このようなコンテンツもしくはコンテンツに関する情報を電子看板装置から携帯端末装置へと送受した累積回数は、コンテンツもしくはコンテンツに関する情報を取得した携帯電話機の利用者の人数に対応するので、コンテンツに対する多くの人々の趣向を知ることができる。
【００２５】
次に、本発明の電子看板装置は、複数のコンテンツを表示画面に切替え表示する電子看板装置であって、前記各コンテンツとそれぞれのキーワードとの対応付けを記憶したキーワード記憶部と、前記電子看板装置周辺で携帯端末装置から送信されて来たキーワードを受信する近距離通信部と、前記キーワード記憶部で前記各コンテンツに対応付けられたそれぞれのキーワードについて、前記近距離通信部により受信されたキーワードの受信件数を計数する受信件数計数部と、前記受信件数計数部で計数された各キーワードの受信件数に基づき、キーワードの受信件数が多くなるほど該キーワードに対応付けられたコンテンツを前記表示画面に優先的に表示する制御部とを有し、前記受信件数計数部により計数されるキーワードの受信件数は、前記電子看板装置周辺に存在中の前記携帯端末装置から受信したキーワードの受信件数である。
【００２６】
このような本発明の電子看板装置を用いることにより、上記本発明の電子看板表示システムと同様の作用効果を達成することができる。
【００２７】
また、本発明の携帯端末装置は、電子看板装置の表示画面に表示されるコンテンツに対応するキーワードを設定するキーワード設定部と、当該携帯端末装置周辺に前記設定されたキーワードを送信する携帯側近距離通信部とを備えている。
【００２８】
このような本発明の携帯端末装置を用いることにより、上記本発明の電子看板表示システムと同様の作用効果を達成することができる。
【００２９】
更に、本発明の電子看板表示方法は、携帯端末装置と、複数のコンテンツを表示画面に切替え表示する電子看板装置とを用いた電子看板表示方法であって、前記携帯端末装置は、前記携帯端末装置周辺にキーワードを送信し、前記電子看板装置は、前記電子看板装置周辺で前記携帯端末装置から送信されたキーワードを受信して、前記各コンテンツに予め対応付けられた前記各キーワード別に、受信されているキーワードの受信件数を計数し、前記各キーワードの受信件数に基づき、キーワードの受信件数が多くなるほど該キーワードに対応付けられたコンテンツを前記表示画面に優先的に表示し、前記キーワードの受信件数は、前記電子看板装置周辺に存在中の前記携帯端末装置から受信したキーワードの受信件数である。
【００３０】
このような本発明の電子看板表示方法においても、上記本発明の電子看板表示システムと同様の作用効果を達成することができる。
【発明の効果】
【００３１】
このような本発明によれば、電子看板装置は、電子看板装置周辺の携帯端末装置から受信したキーワードの受信件数を計数して求め、受信件数が多かったキーワードに対応するコンテンツを優先的に表示している。また、キーワードの受信件数は、電子看板装置周辺に存在中の携帯端末装置から受信したキーワードの受信件数である。このため、電子看板装置周辺の複数の携帯電話機の利用者が設定したキーワードに対応するコンテンツが優先的に表示され、電子看板装置周辺のその時々の人々が自分好みのコンテンツを見る機会が多くなる。
【図面の簡単な説明】
【００３２】
【図１】本発明の電子看板表示システムの第１実施形態を概略的に示す図である。
【図２】電子看板表示システムにおける携帯端末装置の構成を示すブロック図である。
【図３】電子看板表示システムにおける電子看板装置の構成を示すブロック図である。
【図４】電子看板装置における多数のキーワードが予め登録された登録ファイル、及び利用者好みのコンテンツに対応するキーワードが記録された設定ファイルを概念的に示す図である。
【図５】電子看板装置における各コンテンツ、各コンテンツに関する情報、各キーワード、及び送信累積回数が対応付けて記憶されたコンテンツファイルを概念的に示す図である。
【図６】電子看板装置における受信件数計数ファイルを概念的に示す図である。
【図７】第１実施形態における電子看板装置と携帯端末装置間の通信手順を示すシーケンスチャートである。
【図８】第１実施形態における電子看板装置により行われる各コンテンツの優先表示等の処理手順を示すフローチャートである。
【図９】本発明の電子看板表示システムの第２実施形態における電子看板装置と携帯端末装置間の通信手順を示すシーケンスチャートである。
【図１０】第２実施形態における電子看板装置により行われる各コンテンツの優先表示等の処理手順を示すフローチャートである。
【発明を実施するための形態】
【００３３】
以下、本発明の実施形態を添付図面を参照して詳細に説明する。
【００３４】
図１は、本発明の電子看板表示システムの第１実施形態を概略的に示す図である。本実施形態の電子看板表示システムは、少なくとも１台の携帯端末装置１と、複数のコンテンツを切替え表示する電子看板装置３とを備え、携帯端末装置１と電子看板装置３間の近距離無線通信によりシステムが機能する。
【００３５】
電子看板装置３が携帯端末装置１との間で近距離無線通信を行うことができる通信エリアＥは、携帯端末装置１の近距離無線通信の送信出力と受信感度、電子看板装置３の近距離無線通信の送信出力と受信感度、あるいは電子看板装置３の周辺の障害物や環境により決まるが、ここでは電子看板装置３を中心とする一定の範囲であるとする。
【００３６】
少なくとも１台の携帯端末装置１が通信エリアＥに入ったときに、携帯端末装置１と電子看板装置３間で近距離無線通信が行われて、システムが機能する。また、携帯端末装置１の台数に格別な制限はなく、通信エリアＥでは、複数台の携帯端末装置１と電子看板装置３間で近距離無線通信を行うことができる。また、通信エリアＥに携帯端末装置１が無いときには、電子看板装置３が単独で機能し、通信エリアＥから外れた携帯端末装置１も単独で機能する。
【００３７】
電子看板装置３は、コンテンツ（広告等）を表示する大型の表示画面を有しており、街頭、地下街、店舗等に設置されて、多数の人々を対象とする宣伝や報知に用いられる。また、携帯端末装置１は、例えば携帯電話機である。
【００３８】
次に、携帯端末装置１及び電子看板装置３の構成を説明する。図２は、携帯端末装置１の構成を示すブロック図である。携帯端末装置１は、例えば携帯電話機に本実施形態の電子看板表示システムに必要な機能を付加してなる。
【００３９】
図２に示すように携帯端末装置１は、携帯端末装置１を統括的に制御する制御部１１と、携帯電話機の通信機能を持つ携帯無線通信部１２と、携帯無線通信部１２のアンテナ１３と、複数の操作キー等からなる入力操作部１４と、各種のデータやプログラム等を記憶する記憶部１５と、液晶表示装置等からなる表示部１６と、表示部１６を制御する表示制御部１７と、携帯端末装置１周辺で無線通信を行う近距離無線通信部１８と、近距離無線通信部１８のアンテナ１９と、各部及び各アンテナを接続するバスもしくは配線（図示せず）と、電源となる電池（図示せず）とを備えている。
【００４０】
携帯無線通信部１２は、アンテナ１３を通じて無線電話通信の回線に接続され、規定の通信プロトコル等を実行して、通話相手の端末の呼び出しや着呼応答を行い、通話相手の端末に回線を通じて接続されると、音声信号を受信してスピーカ（図示せず）に出力したり、マイクロホン（図示せず）からの音声信号を入力して送信し、これにより通話相手との会話を可能にする。また、制御部１１は、無線電話通信に際し、入力操作部１４の操作による入力指示に応答して携帯無線通信部１２を制御したり、無線電話通信に必用な情報を表示制御部１７を通じて表示部１６の画面に表示する。
【００４１】
また、携帯無線通信部１２は、アンテナ１３を通じて無線電話通信の回線からインターネットへと接続され、インターネットを通じて、後で述べるようなコンテンツに関連する情報のＵＲＬ等にアクセスすることができる。
【００４２】
近距離無線通信部１８は、アンテナ１９を通じて近距離無線通信を行うものであって、携帯端末装置１が通信エリアＥに入っているときに電子看板装置３との間で近距離無線通信を行う。近距離無線通信部１８の通信方式は、例えばブルートゥース（Bluetooth）や無線ＬＡＮに準拠する。
【００４３】
図３は、電子看板装置３の構成を示すブロック図である。電子看板装置３は、先に述べたように複数のコンテンツ（例えば広告等）を切替え表示するものであり、更に本実施形態の電子看板表示システムに必要な機能を付加してなる。
【００４４】
図３に示すように電子看板装置３は、電子看板装置３を統括的に制御する制御部３１と、電子看板装置３を管理する管理装置（図示せず）等の外部装置との間で通信を行う情報通信部３２と、各種のデータやプログラム等を記憶する記憶部３３と、複数の操作キー等からなる入力操作部３４と、大型のＬＥＤ表示装置や液晶表示装置等からなる表示部３５と、表示部３５を制御する表示制御部３６と、着脱可能な外部記憶装置３７と、電子看板装置３周辺で無線通信を行う近距離無線通信部３８と、近距離無線通信部３８のアンテナ３９と、各部及び各アンテナを接続するバスもしくは配線（図示せず）と、電源（図示せず）とを備えている。
【００４５】
外部記憶装置３７は、着脱自在に接続されるものであって、複数のコンテンツを記憶している。この外部記憶装置３７が接続されると、外部記憶装置３７から記憶部３３へと各コンテンツがロードされて記憶される。また、制御部３１は、入力操作部３４の操作による入力指示に応答して記憶部３３内の各コンテンツを選択的に消去する。これにより、記憶部３３内の各コンテンツを更新することができる。
【００４６】
表示制御部３６は、記憶部３３から各コンテンツを順次読出して表示部３５の画面に表示し、これを繰返して、各コンテンツの切替え表示を繰返す。表示部３５が大型であって、電子看板装置３が街頭、地下街、店舗等に設置されることから、表示部３５の画面に各コンテンツを切替え表示することにより各コンテンツを多くの人々に報知することができる。
【００４７】
近距離無線通信部３８は、アンテナ３９を通じて近距離無線通信を行うものであって、携帯端末装置１が通信エリアＥに入っているときに携帯端末装置１との間で近距離無線通信を行う。また、複数の携帯端末装置１が通信エリアＥに入っているときには、近距離無線通信部３８は、通信エリアＥに入っている各携帯端末装置１との間で近距離無線通信を行う。近距離無線通信部３８の通信方式は、携帯端末装置１の近距離無線通信部１８の通信方式と同一であって、例えばブルートゥース（Bluetooth）や無線ＬＡＮに準拠する。
【００４８】
このような構成の電子看板表示システムにおいては、携帯端末装置１別に、利用者の好みに合うコンテンツに対応するキーワードを設定しておき、携帯端末装置１が通信エリアＥに入ったときに、携帯端末装置１から電子看板装置３へとキーワードを近距離無線通信で送受する。そして、電子看板装置３は、表示部３５の画面に切替え表示される各コンテンツ別に、コンテンツに対応するキーワードの受信件数を計数して求め、キーワードの受信件数が多くなるほど該キーワードに対応付けられたコンテンツを優先的に表示する。ただし、キーワードの受信件数は、１台の携帯端末装置１から送信されて電子看板装置３で受信されたキーワードを１受信件数として計数され、また同一キーワードが同一携帯端末装置１から繰り返し送信されることはないものとする。
【００４９】
ここで、携帯端末装置１別に、利用者好みのコンテンツに対応するキーワードが設定され、キーワードが携帯端末装置１から電子看板装置３へと送受されることから、電子看板装置３で受信された同一キーワードの受信件数が該キーワードに対応するコンテンツを好む利用者の人数に対応する。このため、キーワードの受信件数が多くなるほど該キーワードに対応付けられたコンテンツを優先的に表示すると、より多くの利用者が自分好みのコンテンツを見る機会が多くなる。これにより、コンテンツが広告である場合は、広告の訴求効果が向上する。
【００５０】
また、電子看板装置３でコンテンツが優先表示されたときには、電子看板装置３から携帯端末装置１へと優先表示されたコンテンツもしくはコンテンツに関する情報を送受して、優先表示されたコンテンツもしくはコンテンツに関する情報を携帯端末装置１の記憶部１５に記憶する。これにより、携帯端末装置１の利用者は、自分好みのコンテンツもしくはコンテンツに関する情報を容易に取得することができ、コンテンツを携帯端末装置１の表示部１６の画面に表示することができる。コンテンツに関する情報としては、例えば広告に載っている店までの地図や店のホームページのＵＲＬ等がある。先に述べたように携帯無線通信部１２は、アンテナ１３を通じて無線電話通信の回線からインターネットへと接続され、インターネットを通じて、ＵＲＬ等にアクセスすることができるため、そのようなホームページ等を表示部１６の画面に表示することができる。
【００５１】
次に、そのような通信エリアＥに入った携帯端末装置１から電子看板装置３へのキーワードの送受、電子看板装置３から携帯端末装置１へのコンテンツもしくはコンテンツに関する情報の送受、及び電子看板装置３でのコンテンツの優先表示について詳しく説明する。
【００５２】
まず、携帯端末装置１では、利用者の好みに合うコンテンツに対応するキーワードを設定する必要がある。例えば、携帯端末装置１の記憶部１５に多数のキーワードを予め登録しておき、入力操作部１４の入力操作により多数のキーワードから利用者好みのコンテンツに対応するキーワードを選択設定する。
【００５３】
図４は、多数のキーワードが予め登録された記憶部１５の登録ファイル、及び利用者好みのコンテンツに対応するキーワードが記録された設定ファイルを概念的に示す図である。図４に示すように記憶部１５の登録ファイルＤＦには複数のキーワードｋ１〜ｋｎ（ｎは整数）が登録されており、記憶部１５の設定ファイルＥＦには携帯端末装置１の利用者好みのコンテンツを示唆する２種類のキーワードｋ１、ｋ２が記憶されている。設定ファイルＥＦに記憶設定されるキーワードは、１種類であっても複数種類であってもよい。また、各キーワードにそれぞれの重み付け係数ｍ１、ｍ２を付加している。
【００５４】
ここで、携帯端末装置１において、入力操作部１４の入力操作により全てのキーワードの表示を指示すると、制御部１１は、記憶部１５の登録ファイルＤＦに登録されている全てのキーワードを表示制御部１７を通じて表示部１６の画面に表示する。携帯端末装置１の利用者は、表示部１６の画面に表示された全てのキーワードを見て、入力操作部１４の入力操作により自分好みのコンテンツを示唆するキーワードを選択したり、その重み付け係数を設定する。これに応答して制御部１１は、そのキーワード及び重み付け係数を記憶部１５の設定ファイルＥＦに記憶して設定する。
【００５５】
また、電子看板装置３では、表示部３５の画面に切替え表示される各コンテンツ及び該各コンテンツに関する情報をそれぞれのキーワードに対応付けておき、携帯端末装置１からキーワードを受信したときに、このキーワードに対応するコンテンツ及び該コンテンツに関する情報を求めることができるようにしている。例えば、電子看板装置３の記憶部３３に、各コンテンツ及び該各コンテンツに関する情報をそれぞれのキーワードに対応付けて記憶している。
【００５６】
図５は、表示部３５の画面に切替え表示される各コンテンツ、各コンテンツに関する情報、及び各キーワード等が対応付けて記憶された記憶部３３のコンテンツファイルを概念的に示す図である。図５に示すように記憶部３３のコンテンツファイルＣＦには３つのコンテンツＣ１、Ｃ２、Ｃ３と、各コンテンツＣ１、Ｃ２、Ｃ３に関するそれぞれの情報ｆｃ１、ｆｃ２、ｆｃ３と、各コンテンツの識別番号ｉｄｃ１、ｉｄｃ２、ｉｄｃ３と、各コンテンツＣ１、Ｃ２、Ｃ３を示唆するそれぞれのキーワードｋ１、ｋ２、ｋ３と、携帯端末装置１へと送信された各コンテンツＣ１、Ｃ２、Ｃ３の送信累積回数Ｑ１、Ｑ２、Ｑ３とが対応付けて記憶されている。尚、１つのコンテンツに複数のキーワードを対応付けても構わない。
【００５７】
ここで、電子看板装置３において、外部記憶装置３７には各コンテンツ、各コンテンツに関する情報、各コンテンツの識別番号、及び各キーワードが対応付けて記憶されており、外部記憶装置３７から記憶部３３へと各コンテンツ、各コンテンツに関する情報、各コンテンツの識別番号、及び各キーワードがロードされ、各コンテンツ、各コンテンツに関する情報、各コンテンツの識別番号、及び各キーワードが記憶部３３のコンテンツファイルＣＦに対応付けて記憶される。また、コンテンツの送信累積回数は、電子看板装置３から携帯端末装置１へとコンテンツもしくはコンテンツに関する情報が送受される度にカウントアップされる。
【００５８】
更に、電子看板装置３では、切替え表示される各コンテンツ別に、コンテンツに対応するキーワードの受信件数を求める必要がある。例えば、電子看板装置３の記憶部３３に、各コンテンツに対応するそれぞれのキーワードの受信件数を記憶する。
【００５９】
図６は、キーワード及びキーワードの受信件数等が対応付けて記憶された記憶部３３の受信件数計数ファイルを概念的に示す図である。図６に示すように記憶部３３の受信件数計数ファイルＲＦには各コンテンツＣ１、Ｃ２、Ｃ３に対応するそれぞれのキーワードｋ１、ｋ２、ｋ３と、各キーワードの受信件数ｒ１、ｒ２、ｒ３と、各キーワードを送信して来たそれぞれの携帯端末装置１のＩＰアドレスｉｐａ、ｉｐｂが対応付けられて記憶されている。
【００６０】
ここで、電子看板装置３において、制御部３１は、表示部３５の画面に切替え表示される各コンテンツ別に、コンテンツに対応するキーワードの受信件数を計数して記憶部３３の受信件数計数ファイルＲＦに記録する。尚、携帯端末装置１のＩＰアドレスは、携帯端末装置１から電子看板装置３へとキーワードと共に送受されて、受信件数計数ファイルＲＦに記録される。
【００６１】
次に、図７に示すシーケンスチャートを参照して、電子看板装置３と携帯端末装置１間の通信手順を説明する。
【００６２】
電子看板装置３において、制御部３１は、周期的に、ＩＰアドレス送信要求信号Ｓｇ１を近距離無線通信部３８を通じてアンテナ３９から送信している。このため、携帯端末装置１が通信エリアＥに入って来ると、この携帯端末装置１でＩＰアドレス送信要求信号Ｓｇ１が受信される。
【００６３】
携帯端末装置１においては、ＩＰアドレス送信要求信号Ｓｇ１をアンテナ１９で受信して近距離無線通信部１８を通じて制御部１１に入力する。制御部１１は、ＩＰアドレス送信要求信号Ｓｇ１を入力すると、携帯端末装置１のＩＰアドレスを示すＩＰアドレス応答信号Ｓｇ２を生成して、このＩＰアドレス応答信号Ｓｇ２を近距離無線通信部１８を通じてアンテナ１９から送信する。
【００６４】
電子看板装置３においては、携帯端末装置１のＩＰアドレス応答信号Ｓｇ２をアンテナ３９で受信して近距離無線通信部３８を通じて制御部３１に入力する。制御部３１は、携帯端末装置１のＩＰアドレス応答信号Ｓｇ２を入力すると、このＩＰアドレス応答信号Ｓｇ２からＩＰアドレスを抽出し、このＩＰアドレスを含むキーワード送信要求信号Ｓｇ３を生成して、このキーワード送信要求信号Ｓｇ３を近距離無線通信部３８を通じてアンテナ３９から送信する。
【００６５】
携帯端末装置１においては、キーワード送信要求信号Ｓｇ３をアンテナ１９で受信して近距離無線通信部１８を通じて制御部１１に入力する。制御部１１は、キーワード送信要求信号Ｓｇ３を入力すると、キーワード送信要求信号Ｓｇ３からＩＰアドレスを抽出して、このＩＰアドレスが自己の携帯端末装置１のものであるか否かを確認し、ＩＰアドレスが自己のものでなければ、キーワード送信要求信号Ｓｇ３に対する応答動作を行わない。すなわち、キーワード送信要求信号Ｓｇ３が他の携帯端末装置１宛のものである場合は、送信要求信号Ｓｇ３に対する応答動作を行わない。
【００６６】
また、制御部１１は、キーワード送信要求信号Ｓｇ３から抽出したＩＰアドレスが自己のものであれば、記憶部１５の図４に示す設定ファイルＥＦから携帯端末装置１の利用者の好みを示唆する各キーワードｋ１、ｋ２及び各重み付け係数ｍ１、ｍ２を読出し、各キーワードｋ１、ｋ２、各重み付け係数ｍ１、ｍ２、及び携帯端末装置１のＩＰアドレスを示すキーワード応答信号Ｓｇ４を生成して、このキーワード応答信号Ｓｇ４を近距離無線通信部１８を通じてアンテナ１９から送信する。尚、設定ファイルＥＦにキーワードが設定されていない場合は、キーワード応答信号Ｓｇ４が送信されない。
【００６７】
電子看板装置３においては、キーワード応答信号Ｓｇ４をアンテナ３９で受信して近距離無線通信部３８を通じて制御部３１に入力する。制御部３１は、キーワード応答信号Ｓｇ４を入力すると、キーワード応答信号Ｓｇ４から各キーワードｋ１、ｋ２、各重み付け係数ｍ１、ｍ２、及び携帯端末装置１のＩＰアドレスを抽出する。そして、制御部３１は、各キーワードｋ１、ｋ２が記憶部３３の図６に示す受信件数計数ファイルＲＦに記憶されている各キーワードｋ１、ｋ２、ｋ３に一致するか否かを判定し、各キーワードｋ１、ｋ２については一致すると判定して、各キーワードｋ１、ｋ２に対応する各受信件数ｒ１、ｒ２を受信件数計数ファイルＲＦから検索し、各受信件数ｒ１、ｒ２をそれぞれの重み付け係数ｍ１、ｍ２に応じてカウントアップして更新し、また各キーワードｋ１、ｋ２に対応付けて携帯端末装置１のＩＰアドレスを受信件数計数ファイルＲＦに記録する。
【００６８】
例えば、受信件数ｒ１を重み付け係数ｍ１に応じて「１」だけカウントアップして更新し、また受信件数ｒ２を重み付け係数ｍ２に応じて「２」だけカウントアップして更新する。これにより、キーワードｋ２の受信件数ｒ２を意図的に大きくすることができ、キーワードｋ２に対応するコンテンツＣ２の表示をより優先させることが可能になる。
【００６９】
また、制御部３１は、一致しないと判定したキーワードの受信件数のカウントアップを行わず、携帯端末装置１のＩＰアドレスの記録も行わない。
【００７０】
この結果、電子看板装置３で切替え表示されるコンテンツに対応するキーワードの受信件数が記録され、またキーワードを送信して来た携帯端末装置１のＩＰアドレスが記録される。
【００７１】
引き続いて、電子看板装置３において、制御部３１は、記憶部３３の図５に示すコンテンツファイルＣＦを参照して、先に一致すると判定した各キーワードｋ１、ｋ２に対応する各コンテンツＣ１、Ｃ２及び各コンテンツＣ１、Ｃ２に関するそれぞれの情報ｆｃ１、ｆｃ２を求め、各コンテンツＣ１、Ｃ２、各情報ｆｃ１、ｆｃ２、及び携帯端末装置１のＩＰアドレスを示すコンテンツ信号Ｓｇ５を生成して、このコンテンツ信号Ｓｇ５を近距離無線通信部３８を通じてアンテナ３９から送信する。このとき、制御部３１は、コンテンツファイルＣＦを参照して、携帯端末装置１に送信したコンテンツ及び該コンテンツに関する情報の送信累積回数をカウントアップする。
【００７２】
携帯端末装置１においては、コンテンツ信号Ｓｇ５をアンテナ１９で受信して近距離無線通信部１８を通じて制御部１１に入力する。制御部１１は、コンテンツ信号Ｓｇ５を入力すると、コンテンツ信号Ｓｇ５からＩＰアドレスを抽出し、このＩＰアドレスが自己の携帯端末装置１のものであるか否かを確認し、ＩＰアドレスが自己のものでなければ、コンテンツ信号Ｓｇ５を破棄する。すなわち、コンテンツ信号Ｓｇ５が他の携帯端末装置１宛のものである場合は、コンテンツ信号Ｓｇ５を破棄する。
【００７３】
また、制御部１１は、コンテンツ信号Ｓｇ５から抽出したＩＰアドレスが自己のものであれば、コンテンツ信号Ｓｇ５から各コンテンツＣ１、Ｃ２及び各情報ｆｃ１、ｆｃ２を抽出し、各コンテンツＣ１、Ｃ２及び各情報ｆｃ１、ｆｃ２を記憶部１５に記憶する。
【００７４】
このように携帯端末装置１と電子看板装置３との間で、ＩＰアドレス送信要求信号Ｓｇ１、ＩＰアドレス応答信号Ｓｇ２、キーワード送信要求信号Ｓｇ３、及びキーワード応答信号Ｓｇ４を送受して、携帯端末装置１で設定されたキーワード及び重み付け係数を電子看板装置３に通知し、電子看板装置３の図６の受信件数計数ファイルＲＦにおける該キーワードに対応する受信件数を該重み付け係数に応じてカウントアップし、携帯端末装置１のＩＰアドレスを該キーワードに対応付けて受信件数計数ファイルＲＦに記録する。
【００７５】
また、コンテンツ信号Ｓｇ５を電子看板装置３から携帯端末装置１へと送受して、コンテンツ及び該コンテンツに関する情報を携帯端末装置１の記憶部１５に記憶し、更に電子看板装置３の図５のコンテンツファイルＣＦにおけるコンテンツ及び該コンテンツに関する情報の送信累積回数をカウントアップする。
【００７６】
ここで、周期的に、電子看板装置３からＩＰアドレス送信要求信号Ｓｇ１を送信しているので、携帯端末装置１が通信エリアＥに入っている限り、その携帯端末装置１がＩＰアドレス送信要求信号Ｓｇ１を逐次受信してＩＰアドレス応答信号Ｓｇ２を繰り返し送信することになる。しかしながら、電子看板装置３では、携帯端末装置１のＩＰアドレスを示すキーワード送信要求信号Ｓｇ３を送信して、キーワード応答信号Ｓｇ４を受信し、このキーワード応答信号Ｓｇ４から抽出した携帯端末装置１のＩＰアドレスを図６の受信件数計数ファイルＲＦに一旦記録したならば、この後に同一ＩＰアドレスを示すＩＰアドレス応答信号Ｓｇ２を繰り返し受信しても、このＩＰアドレスを含むキーワード送信要求信号Ｓｇ３を再度送信することはなく、このＩＰアドレスを含むキーワード応答信号Ｓｇ４を再度受信することもなく、このために同一の携帯端末装置１から同一のキーワードを繰り返し受信することはなく、キーワードの受信件数を重複して計数することもない。
【００７７】
また、携帯端末装置１が通信エリアＥから出ると、その携帯端末装置１でＩＰアドレス送信要求信号Ｓｇ１が受信されず、その携帯端末装置１からＩＰアドレス応答信号Ｓｇ２が送信されなくなる。電子看板装置３では、図６の受信件数計数ファイルＲＦに記録されているＩＰアドレスを示すＩＰアドレス応答信号Ｓｇ２の受信が一定時間以上途絶えると、このＩＰアドレスを受信件数計数ファイルＲＦから削除し、このＩＰアドレスと共に記録されているキーワードの受信件数をカウントダウンする。これにより、通信エリアＥに入っているかもしくは電子看板装置３の周辺に存在している携帯端末装置１のＩＰアドレスだけを受信件数計数ファイルＲＦに記録し、通信エリアＥに入っているかもしくは電子看板装置３の周辺に存在している携帯端末装置１から受信したキーワードの受信件数を求めることができる。
【００７８】
したがって、電子看板装置３の受信件数計数ファイルＲＦにおけるキーワードの受信件数は、通信エリアＥに入っているかもしくは電子看板装置３の周辺に存在している携帯端末装置１の台数に常に対応し、電子看板装置３の画面を見ることが可能な利用者の人数にも対応する。電子看板装置３では、図６の受信件数計数ファイルＲＦにおけるキーワードの受信件数が多くなるほど該キーワードに対応付けられたコンテンツを優先的に表示するので、より多くの利用者が自分好みのコンテンツを見る機会が多くなる。このため、コンテンツが広告である場合は、広告の訴求効果が向上する。
【００７９】
また、携帯端末装置１においては、キーワード及びＩＰアドレスを示すキーワード応答信号Ｓｇ４を送信した後に、キーワードに対応するコンテンツ及び該コンテンツに関する情報を示すコンテンツ信号Ｓｇ５を受信して、コンテンツもしくはコンテンツに関する情報を記憶部１５に記憶するので、携帯端末装置１の利用者に対して自分好みのコンテンツもしくはコンテンツに関する情報を提供することができる。利用者は、電子看板装置３の画面に表示されたコンテンツに気づいても気づかなくても、後でコンテンツを表示部１６の画面上で見ることができる。
【００８０】
次に、そのような電子看板装置３により行われる各コンテンツの優先表示等の処理手順を詳しく説明する。図８は、電子看板装置３により行われる各コンテンツの優先表示等の処理手順を示すフローチャートである。尚、図８のフローチャートの処理手順は、図７のシーケンスチャートの通信手順と並行して進められる。
【００８１】
まず、電子看板装置３において、制御部３１は、周期的に、ＩＰアドレス送信要求信号Ｓｇ１を近距離無線通信部３８を通じてアンテナ３９から送信する（ステップＳ１０１）。このとき、仮に、通信エリアＥにおいて携帯端末装置１が１台も存在しないとすると、ＩＰアドレス応答信号Ｓｇ２が電子看板装置３のアンテナ３９で受信されず、ＩＰアドレス応答信号Ｓｇ２が近距離無線通信部３８を通じて制御部３１に入力されることもない。この場合、制御部３１は、ＩＰアドレス送信要求信号Ｓｇ１の送信時点から一定時間待機しても、ＩＰアドレス応答信号Ｓｇ２の受信入力がないと、ＩＰアドレスが受信されなかったと判定し（ステップＳ１０２で「Ｎｏ」）、電子看板装置３を単独で機能させる。この場合、表示制御部３６は、記憶部３３から各コンテンツを順次読出して表示部３５の画面に表示し、これを繰返して、各コンテンツの切替え表示を繰返す。このとき、各コンテンツのいずれも優先表示されることはなく、各コンテンツが予め設定されたそれぞれの表示時間ずつ順次表示され、これが繰返される（ステップＳ１０３）。
【００８２】
また、通信エリアＥに少なくとも１台の携帯端末装置１が入っているとすると、携帯端末装置１から送信されたＩＰアドレス応答信号Ｓｇ２が電子看板装置３のアンテナ３９で受信され近距離無線通信部３８を通じて制御部３１に入力される。制御部３１は、ＩＰアドレス応答信号Ｓｇ２を入力すると、ＩＰアドレスが受信されたと判定する（ステップＳ１０２で「Ｙｅｓ」）。そして、制御部３１は、ＩＰアドレス応答信号Ｓｇ２からＩＰアドレスを抽出し、このＩＰアドレスが図６の受信件数計数ファイルＲＦに既に記録されているか否かを確認し、ＩＰアドレスが受信件数計数ファイルＲＦに既に記録されていれば、このＩＰアドレスの携帯端末装置１との間でキーワード等の授受が既に行われているので、キーワード送信要求信号Ｓｇ３を送信しない。また、制御部３１は、ＩＰアドレスが受信件数計数ファイルＲＦに記録されていなければ、このＩＰアドレスの携帯端末装置１との間でキーワード等の授受が未だに行われていないので、このＩＰアドレスを含むキーワード送信要求信号Ｓｇ３を生成して、このキーワード送信要求信号Ｓｇ３を近距離無線通信部３８を通じてアンテナ３９から送信する（ステップＳ１０４）。
【００８３】
勿論、電子看板装置３では、通信エリアＥに入っている複数の携帯端末装置１からのそれぞれのＩＰアドレス応答信号Ｓｇ２を受信した場合は、各ＩＰアドレス応答信号Ｓｇ２別に、ＩＰアドレス応答信号Ｓｇ２からＩＰアドレスを抽出し、このＩＰアドレスが受信件数計数ファイルＲＦに既に記録されているか否かを確認し、ＩＰアドレスが受信件数計数ファイルＲＦに記録されていなかったときにだけ、ＩＰアドレスを含むキーワード送信要求信号Ｓｇ３を送信する（ステップＳ１０４）。
【００８４】
こうして電子看板装置３からキーワード送信要求信号Ｓｇ３が送信されると、キーワード送信要求信号Ｓｇ３が携帯端末装置１で受信されて、携帯端末装置１からキーワード応答信号Ｓｇ４が送信され、キーワード応答信号Ｓｇ４が電子看板装置３のアンテナ３９で受信され近距離無線通信部３８を通じて制御部３１に入力される。電子看板装置３の制御部３１は、キーワード応答信号Ｓｇ４を入力すると、キーワード応答信号Ｓｇ４からキーワード、重み付け係数、及び携帯端末装置１のＩＰアドレスを抽出し、キーワードが図６の受信件数計数ファイルＲＦのキーワードに一致するか否かを判定し、一致すると判定したキーワードについては、受信件数計数ファイルＲＦにおける該キーワードに対応する受信件数を重み付け係数に応じてカウントアップし、また該キーワードに対応付けて携帯端末装置１のＩＰアドレスを受信件数計数ファイルＲＦに記録する。また、一致しないと判定したキーワードについては、受信件数のカウントアップを行わず、携帯端末装置１のＩＰアドレスの記録も行わない（ステップＳ１０５）。
【００８５】
勿論、電子看板装置３では、通信エリアＥに入っている複数の携帯端末装置１からそれぞれのキーワード応答信号Ｓｇ４を受信した場合は、各キーワード応答信号Ｓｇ４別に、キーワード応答信号Ｓｇ４からキーワード、重み付け係数、及びＩＰアドレスを抽出し、このキーワードが受信件数計数ファイルＲＦのキーワードに一致するか否かを判定し、一致すると判定したキーワードについては、受信件数計数ファイルＲＦにおける該キーワードに対応する受信件数を重み付け係数に応じてカウントアップし、また該キーワードに対応付けて携帯端末装置１のＩＰアドレスを受信件数計数ファイルＲＦに記録する（ステップＳ１０５）。
【００８６】
この結果、電子看板装置３で切替え表示される各コンテンツ別に、コンテンツに対応するキーワードの受信件数が受信件数計数ファイルＲＦに記録され、またキーワードを送信して来た携帯端末装置１のＩＰアドレスが受信件数計数ファイルＲＦに記録される。
【００８７】
引き続いて、電子看板装置３において、制御部３１は、図５のコンテンツファイルＣＦを参照して、先に一致すると判定したキーワードに対応するコンテンツ及び該コンテンツに関する情報を求め、コンテンツ、情報、及び携帯端末装置１のＩＰアドレスを示すコンテンツ信号Ｓｇ５を生成して、このコンテンツ信号Ｓｇ５を近距離無線通信部３８を通じてアンテナ３９から送信する（ステップＳ１０６）。また、制御部３１は、コンテンツファイルＣＦを参照して、携帯端末装置１に送信したコンテンツ及び該コンテンツに関する情報の送信累積回数をカウントアップする。
【００８８】
このコンテンツ信号Ｓｇ５は、コンテンツ信号Ｓｇ５のＩＰアドレスを持つ携帯端末装置１で受信されて取り込まれ、コンテンツ信号Ｓｇ５からコンテンツ及び該コンテンツに関する情報が抽出されて携帯端末装置１の記憶部１５に記憶される。
【００８９】
勿論、電子看板装置３では、通信エリアＥに入っている複数の携帯端末装置１からそれぞれのキーワード応答信号Ｓｇ４を受信した場合は、各携帯端末装置１別に、キーワード応答信号Ｓｇ４から抽出したキーワードが受信件数計数ファイルＲＦのキーワードに一致するか否かを判定し、一致したならば、コンテンツファイルＣＦを参照して、一致すると判定したキーワードに対応するコンテンツ及び該コンテンツに関する情報を求め、コンテンツ、情報、及び携帯端末装置１のＩＰアドレスを示すコンテンツ信号Ｓｇ５を生成して、このコンテンツ信号Ｓｇ５を近距離無線通信部３８を通じてアンテナ３９から送信する（ステップＳ１０６）。また、コンテンツファイルＣＦを参照して、携帯端末装置１に送信したコンテンツの送信累積回数をカウントアップする。
【００９０】
尚、図５のコンテンツファイルＣＦにおけるコンテンツの送信累積回数は、電子看板装置３が設置された地域におけるコンテンツの供給回数であって、その地域におけるコンテンツの人気を示す指標であり、コンテンツの送信累積回数と識別番号が情報通信部３２を通じて外部の管理装置に送信されて、コンテンツの解析や新規コンテンツの作成に利用されたり、コンテンツ（広告）の表示効果の報告に利用される。
【００９１】
一方、電子看板装置３において、制御部３１は、図６の受信件数計数ファイルＲＦを参照して、電子看板装置３で切替え表示される各コンテンツに対応するそれぞれのキーワードの受信件数を求め、キーワードの受信件数が多くなるほど該キーワードに対応付けられたコンテンツを表示部３５の画面に優先的に表示する（ステップＳ１０７）。
【００９２】
例えば、ステップＳ１０３において、電子看板装置３を単独で機能させているときに、各コンテンツが予め設定されたそれぞれの表示時間ずつ順次表示され、これが繰返されるものとすると、ステップＳ１０７においては、キーワードの受信件数が多くなるほど該キーワードに対応付けられたコンテンツの表示時間を延長したり表示回数を増大させる。
【００９３】
コンテンツの表示時間を延長する場合は、受信件数が多かったキーワードに対応するコンテンツの表示時間の延長に伴い、各コンテンツ全体の表示時間も長くする。あるいは、キーワードの受信件数が多くなるほど該キーワードに対応するコンテンツの表示時間を延長し、逆にキーワードの受信件数が少なくなるほど該キーワードに対応するコンテンツの表示時間を短縮して、各コンテンツ全体の表示時間を略一定に維持してもよい。また、コンテンツの表示回数を変更する場合は、受信件数が多かったキーワードに対応するコンテンツの表示回数を増加させ、逆に受信件数が少なかったキーワードに対応するコンテンツの表示回数を減少させてもよい。更に、コンテンツの表示時間と表示回数を組み合わせた優先表示を行っても構わない。
【００９４】
また、そのような優先表示は、ステップＳ１０１〜Ｓ１０７の実行周期で、各コンテンツの繰り返し表示中に実行される。例えば、コンテンツＣ２の表示開始直前に、図６の受信件数計数ファイルＲＦにおいて、キーワードｋ１の受信件数ｒ１が「４」、キーワードｋ２の受信件数ｒ２が「２」、キーワードｋ３の受信件数ｒ３が「０」になったとすると、各コンテンツＣ１、Ｃ２、Ｃ３の表示時間を４：２：１の割合で求めて、コンテンツＣ２をその割合の表示時間で表示し、引き続いて各コンテンツＣ３、Ｃ１をそれぞれの割合の表示時間で順次表示し、以降、同様の表示を繰返す。更に、各キーワードｋ１、ｋ２、ｋ３の受信件数が変化したときには、各コンテンツＣ１、Ｃ２、Ｃ３の表示時間を直ちに更新する。
【００９５】
このように本実施形態の電子看板装置１では、通信エリアＥに入った携帯端末装置１からキーワードを収集して、表示部３５の画面に切替え表示される各コンテンツ別に、コンテンツに対応するキーワードの受信件数を計数して求め、キーワードの受信件数が多くなるほど該キーワードに対応付けられたコンテンツを優先的に表示している。このため、より多くの利用者が自分好みのコンテンツを見る機会が多くなる。また、電子看板装置３から携帯端末装置１へと優先表示されたコンテンツもしくはコンテンツに関する情報を送受して、優先表示されたコンテンツもしくはコンテンツに関する情報を携帯端末装置１の記憶部１５に記憶している。これにより、携帯端末装置１の利用者は、自分好みのコンテンツもしくはコンテンツに関する情報を容易に取得することができる。
【００９６】
次に、本発明の電子看板表示システムの第２実施形態を説明する。図９は、本発明の電子看板表示システムの第２実施形態における電子看板装置と携帯端末装置間の通信手順を示すシーケンスチャートである。
【００９７】
尚、第２実施形態の携帯端末装置及び電子看板装置は、図２の携帯端末装置１及び図３の電子看板装置３と同様の構成である。また、図９のシーケンスチャートにおいては、ＩＰアドレス送信要求信号Ｓｇ１、ＩＰアドレス応答信号Ｓｇ２、キーワード送信要求信号Ｓｇ３、及びキーワード応答信号Ｓｇ４の送受信手順が図７のシーケンスチャートと同一であり、これ以降の信号の送受信手順が異なる。このため、その以降の信号の送受信手順を説明する。
【００９８】
本実施形態では、ＩＰアドレス送信要求信号Ｓｇ１、ＩＰアドレス応答信号Ｓｇ２、キーワード送信要求信号Ｓｇ３、及びキーワード応答信号Ｓｇ４の送受信するが、これに引き続いて図７のシーケンスチャートのようにコンテンツ信号Ｓｇ５を電子看板装置３から携帯端末装置１へと自動的に送信することはなく、この代わりに、携帯端末装置１からコンテンツ要求信号Ｓｇ６を送信し、これに応答して電子看板装置３からコンテンツ信号Ｓｇ５を送信するようにしている。
【００９９】
詳しくは、携帯端末装置１の利用者は、入力操作部１４の操作によりコンテンツの要求を指示する。これに応答して携帯端末装置１の制御部１１は、携帯端末装置１のＩＰアドレスを含むコンテンツ要求信号Ｓｇ６を生成して、このコンテンツ要求信号Ｓｇ６を近距離無線通信部１８を通じてアンテナ１９から送信する。
【０１００】
電子看板装置３においては、コンテンツ要求信号Ｓｇ６をアンテナ３９で受信して近距離無線通信部３８を通じて制御部３１に入力する。制御部３１は、コンテンツ要求信号Ｓｇ６を入力すると、コンテンツ要求信号Ｓｇ６から携帯端末装置１のＩＰアドレスを抽出し、図６の受信件数計数ファイルＲＦを参照して、この抽出したＩＰアドレス（キーワード応答信号Ｓｇ４の受信のときに受信件数計数ファイルＲＦに記録されたＩＰアドレス）に対応付けられたキーワードを求め、更に図５のコンテンツファイルＣＦを参照して、この求めたキーワードに対応するコンテンツ及び該コンテンツに関するそれぞれの情報を求め、これらのコンテンツ、情報、及び携帯端末装置１のＩＰアドレスを示すコンテンツ信号Ｓｇ５を生成して、このコンテンツ信号Ｓｇ５を近距離無線通信部３８を通じてアンテナ３９から送信する。また、コンテンツファイルＣＦを参照して、携帯端末装置１に送信したコンテンツの送信累積回数をカウントアップする。このコンテンツの送信累積回数は、コンテンツの識別番号と共に情報通信部３２を通じて外部の管理装置に送信され、コンテンツの解析や新規コンテンツの作成に利用される。
【０１０１】
携帯端末装置１においては、コンテンツ信号Ｓｇ５をアンテナ１９で受信して近距離無線通信部１８を通じて制御部１１に入力し、制御部１１でコンテンツ信号Ｓｇ５からＩＰアドレスを抽出し、このＩＰアドレスが自己の携帯端末装置１のものでなければ、コンテンツ信号Ｓｇ５を破棄し、またＩＰアドレスが自己のものであれば、コンテンツ信号Ｓｇ５からコンテンツ及び該コンテンツに関する情報を抽出し、コンテンツ及び情報を記憶部１５に記憶する。
【０１０２】
図１０は、電子看板装置３により行われる各コンテンツの優先表示等の処理手順を示すフローチャートである。尚、図１０のフローチャートの処理手順は、図９のシーケンスチャートの通信手順と並行して進められる。また、図１０のフローチャートの処理手順は、図８のステップＳ１０６を省略し、この代わりに、各ステップＳ１１１、Ｓ１１２を付加したものである。
【０１０３】
図１０のフローチャートにおいて、各ステップＳ１１１、Ｓ１１２は、携帯端末装置１からのコンテンツ要求信号Ｓｇ６を受信入力したときの割り込み処理である。制御部３１は、先に述べたようにコンテンツ要求信号Ｓｇ６を入力すると（ステップＳ１１１）、コンテンツ要求信号Ｓｇ６から携帯端末装置１のＩＰアドレスを抽出し、図６の受信件数計数ファイルＲＦを参照して、この抽出したＩＰアドレスに対応付けられたキーワードを求め、更に図５のコンテンツファイルＣＦを参照して、この求めたキーワードに対応するコンテンツ及び該コンテンツに関するそれぞれの情報を求め、これらのコンテンツ、情報、及び携帯端末装置１のＩＰアドレスを示すコンテンツ信号Ｓｇ５を生成して、このコンテンツ信号Ｓｇ５を近距離無線通信部３８を通じてアンテナ３９から送信する（ステップＳ１１２）。
【０１０４】
このように携帯端末装置１からコンテンツ要求信号Ｓｇ６を送信したときにだけ、電子看板装置３からコンテンツ信号Ｓｇ５を送信するので、携帯端末装置１の利用者は、必要なコンテンツ及び該コンテンツに関する情報だけを取得することができる。
【０１０５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【０１０６】
例えば、上記各実施形態において、電子看板装置３は、携帯端末装置１が通信エリアＥから出て、図６の受信件数計数ファイルＲＦに記録されているＩＰアドレスを示すＩＰアドレス応答信号Ｓｇ２の受信が一定時間以上途絶えると、このＩＰアドレスを受信件数計数ファイルＲＦから削除し、このＩＰアドレスと共に記録されているキーワードの受信件数をカウントダウンしているが、この代わりに、一定時間毎に、受信件数計数ファイルＲＦの全ての記録を消去して、受信件数計数ファイルＲＦの記録をやり直しても構わない。電子看板装置３周辺の人々が絶えず入れ替わっているため、一定時間毎に、受信件数計数ファイルＲＦの記録をやり直すことにより、電子看板装置３周辺に存在中の携帯端末装置１から受信したキーワードの受信件数を求めることができる。
【０１０７】
また、キーワードの受信件数を重み付け係数に応じてカウントアップしているが、重み付け係数を省略して、キーワードの受信件数を単に１ずつカウントアップしても構わない。更に、コンテンツとして、広告を例示しているが、ニュースや天気予報等であってもよい。また、電子看板装置３から携帯端末装置１へとコンテンツ及びコンテンツに関する情報を送受しているが、コンテンツ及びコンテンツに関する情報のいずれか一方だけを送受しても構わない。更に、携帯端末装置１として、携帯電話機を例示しているが、他の種類の携帯端末装置、ゲーム機等であってもよく、複数種の携帯端末装置を適用対象としても構わない。
【符号の説明】
【０１０８】
１  携帯端末装置
３  電子看板装置
１１、３１  制御部
１２  携帯無線通信部
１３  アンテナ
１４、３４  入力操作部
１５、３３  記憶部
１６、３５  表示部
１７、３６  表示制御部
１８、３８  近距離無線通信部
１９、３９  アンテナ
３２  情報通信部
Ｅ  通信エリア
ＣＦ  コンテンツファイル
ＤＦ  登録ファイル
ＥＦ  設定ファイル
ＲＦ  受信件数ファイル
【図１】
2012173719.tif 000003
【図２】
2012173719.tif 000004
【図３】
2012173719.tif 000005
【図４】
2012173719.tif 000006
【図５】
2012173719.tif 000007
【図６】
2012173719.tif 000008
【図７】
2012173719.tif 000009
【図８】
2012173719.tif 000010
【図９】
2012173719.tif 000011
【図１０】
2012173719.tif 000012